(57)【特許請求の範囲】
【請求項１】
ワークトップ（１）と、該ワークトップ（１）を昇降可能に支持する支持部（２）とからなり、前記ワークトップ（１）は、キッチン機能を有するキッチン部（３）と、洗面機能を有する洗面部（４）とからなり、
前記ワークトップ（１）上には鏡（１０）が立設され、該鏡（１０）の仰角は固定ノブ（２７）で変更固定され、前記支持部（２）はワークトップ（１）の左右をそれぞれ支持する脚（１２）と、左右の脚（１２）間に設けられ該脚（１２）の上下動の同期を図る同期機構（１４）とを有し、前記脚（１２）は、外筒（１５）に内筒（１６）が摺動自在に収納されてなり、前記同期機構（１４）は左右の内筒（１６）をワイヤー（１８）で連結して同期を図ることを特徴とするキッチン機能付洗面ユニット。
【請求項２】
ワークトップ（１）の一方部にキッチン部（３）が配設され、中央部に調理作業用の平板（５）が配設され、他方部に洗面部（４）が配設されてなり、前記中央前部には平面視凹部（６）が形成されることを特徴とする請求項１記載のキッチン機能付洗面ユニット。
【請求項３】
キッチン部（３）に、ワークトップ（１）の上面と加熱器（７）の上面が同一面になるよう加熱器（７）が設けられたことを特徴とする請求項２記載のキッチン機能付洗面ユニット。
【請求項４】
支持部（２）の一側にワークトップ（１）の昇降を固定又は解除する固定解除レバー（２１）が設けられ、該レバー（２１）の操作によりワークトップ（１）の固定が解除されることを特徴とする請求項１記載のキッチン機能付洗面ユニット。
【請求項５】
洗面部（４）の前縁（４ａ）の左右部位に肘受け部（９）が形成されることを特徴とする請求項１記載のキッチン機能付洗面ユニット。
【請求項６】
洗面部（４）の奥部のキッチン部（３）側に混合水栓（１１）が配設されていることを特徴とする請求項２記載のキッチン機能付洗面ユニット。
【発明の詳細な説明】
【０００１】
【産業上の利用分野】
本発明は、在宅介護用に家庭で使用され、又、日常動作訓練にも使用されるキッチン機能付洗面ユニットに関する。
【０００２】
【従来の技術】
従来技術に特開平４−９０７１４号公報があり、該公報には、ワークトップと、バックガードと、透光材と、照明装置とからなる厨房装置が開示されている。
【０００３】
【発明が解決しようとする課題】
従来技術には、ワークトップに作業台とシンクが形成されており、これはキッチン機能を有するが、洗面を行なうに好適な部材は何も備わっておらず洗面や整容をするには不都合なものであった。
高齢の虚弱老人は移動しにくいものであり、自室に洗面、キッチンを置くことにより自立度が高まる。自立度を高めるために従来は、キッチンユニットと洗面ユニットの二個ユニットを設置していたが、大きな占有スペースが必要であり、更に、給排水管に係るスペースが二個分必要となり、給排水管の配管も面倒であった。
【０００４】
本発明の目的は、上記不都合点を解決したものであり、ワークトップにキッチン機能と洗面機能の二機能を備えて省スペース化を実現し、楽にキッチン及び洗面の両動作を行なえるキッチン機能付洗面ユニットを提供するものである。
【０００５】
【課題を解決するための手段】
即ち本発明は、  ワークトップ１と、該ワークトップ１を昇降可能に支持する支持部２とからなり、前記ワークトップ１は、キッチン機能を有するキッチン部３と、洗面機能を有する洗面部４とからなり、前記ワークトップ１上には鏡１０が立設され、該鏡１０の仰角は固定ノブ２７で変更固定され、前記支持部２はワークトップ１の左右をそれぞれ支持する脚１２と、左右の脚１２間に設けられ該脚１２の上下動の同期を図る同期機構１４とを有し、前記脚１２は、外筒１５に内筒１６が摺動自在に収納されてなり、前記同期機構１４は左右の内筒１６をワイヤー１８で連結して同期を図るキッチン機能付洗面ユニットである。前記ワークトップ１の一方部にキッチン部３が配設され、中央部に調理作業用の平板５が配設され、他方部に洗面部４が配設されてなり、前記中央前部には平面視凹部６が形成される。又、前記キッチン部３に、ワークトップ１の上面と加熱器７の上面が同一面になるよう加熱器７が設けられる。更に、前記支持部２の一側にワークトップ１の昇降を固定又は解除する固定解除レバー２１が設けられ、該レバー２１の操作によりワークトップ１の固定が解除される。更に又、前記洗面部４の前縁４ａの左右部位に肘受け部９が形成され、洗面部４の奥部のキッチン部３側に混合水栓１１が配設されている。
【０００６】
【作用】
本発明における支持部２で支持されるワークトップ１のキッチン部３はキッチン機能を持ち、洗面部４は洗面機能を持つ。
ワークトップ１の一方部に配設したキッチン部３と、中央部に配設した調理作業用の平板５と、他方部に配設した洗面部４と、前記中央部に形成した平面視凹部６とからなる装置における前記凹部６に、使用者が位置して調理を行なえばその作業が容易である。
【０００７】
加熱器７の上面をキッチン部３の上面と同一面に位置せしめ、使用者はワークトップ１に載せた物品を持ち上げることなく横方向へずらせて前記加熱器７に載せる。
【０００８】
支持部２で支持するワークトップ１は、手動で昇降可能であり、前記支持部２の一側に設けられた固定解除レバー２１を上げると、ワークトップ１の昇降固定は解除する。
洗面部４の前縁４ａの左右部位に形成した肘受け部９は、人体肘部又は前腕を支持する。
【０００９】
【実施例】
本発明の実施例は、ワークトップ１を支持部２で昇降可能に支持してなり、ワークトップ１は、キッチン機能を有するキッチン部３と、洗面機能を有する洗面部４とからなる。
ワークトップ１には、その一方部にキッチン部３が配設され、中央部に調理作業用の平板５が配設され、他方部に洗面部４が配設され、前記中央部には平面視で凹状となる凹部６が形成される。
洗面部４の後方位置におけるワークトップ１上に、鏡１０が立設され、更に、混合水栓１１が立設される。前記鏡１０の仰角は固定ノブ２７で変更固定され、必要に応じて、やや上向きに変更される。
【００１０】
キッチン部３には加熱器７が設けられ、該加熱器７の上面はキッチン部３の上面と同一面になるような位置とされる。
洗面部４の中央部はボール８とされ、ボール８の後部には排水栓２６が設けられ、洗面部４の前縁４ａの左右には肘受け部９が凹状に形成される。
【００１１】
支持部２は、前記ワークトップ１を手動で昇降可能に支持しており、前記支持部は、左右を支持する脚１２と、左・右脚１２ａ・１２ｂ間に関係して設けられ上下動の同期を図る同期機構１４と、該同期機構１４を収納し左・右脚２ａ・２ｂ間に横架取着される同期機構収納部１３とからなる。
前記ワークトップ１の中央下部には、使用者が車椅子や椅子（図示省略）に坐ったまま実施例を使用できるように空間が設けられている。
前記脚１２は、外筒１５に内筒１６が摺動自在に収納され、内筒１６は上方へ付勢するガススプリング１７で支持される。
【００１２】
同期機構１４は、左内筒１６ａの下部と右内筒１６ｂの上部とを左ワイヤー１８ａで連結し、左内筒１６ａの上部と右内筒１６ｂの下部とを右ワイヤー１８ｂで連結し、両ワイヤー１８ａ・ｂを適宜に滑車１９で案内してなる。前記両ワイヤー１８ａ・ｂは同期機構収納部１３を貫通して設けられている。
同期機構収納部１３の上はラック２０に形成される。
【００１３】
固定解除レバー２１は前記支持部２の一側に設けられ、ワークトップ１の昇降を固定し又は解除するものである。固定解除レバー２１はガススプリング１７に連通し該スプリング１７の作動を制御している。
前記固定解除レバー２１を何も操作しなければ、ガススプリング１７の伸縮はロック状態にあり、ワークトップ１は昇降不自在な固定状態にある。固定解除レバー２１を手動で持ち上げると、ガススプリング１７はロック解除となり、ワークトップ１は昇降自在状態になる。
【００１４】
尚、図１中、２３は小物スペース、２８は小物がワークトップ１から落ちるのを防ぐために加工した凸状縁部、図２中、２２は加熱器７に係るヒータースイッチ、２４はコンセント、２５は配管化粧カバー、２９は照明具である。
【００１５】
実施例を在宅介護用として使用する場合には、一般家庭に設置し、下肢の運動機能に障害を持つ者が日常的に使用する。実施例を使用する障害者の多くは、車椅子（図示省略）に乗った状態で使用する。
又、実施例を訓練用に使用する場合には、日常動作訓練の目的のもとに訓練者は実施例に向かい洗面や調理等を行なう。
【００１６】
洗面は、ワークトップ１の一方部に配設された洗面部４で行なう。適宜、洗面部４の前縁４ａの左右部位に形成した肘受け部９へ人体肘部又は前腕を当て、腕を休めながら洗面し、又は、上体を洗面部４で支持して洗面をする。
【００１７】
調理に際しては、ワークトップ１の一方部に配設されたキッチン部３で、煮炊きを行ない、中央部に配設された調理作業用の平板５で調理を行ない、ボール８で食器や食物の洗い作業をする。
調理に際して使用者は、中央部に形成された凹部６に位置して調理を行なう。加熱器７の上面はキッチン部３の上面と同一面となっており、ワークトップ１に載せた鍋等の物品を、持ち上げることなく横方向へずらせて前記加熱器７に載せる。
洗い作業に際して使用者は、洗面部４の肘受け部９で腕を休めながらその作業が行なえる。
【００１８】
ワークトップ１の高さ調節に際しては、支持部２の一側に設けられた固定解除レバー２１を持ち上げ、ワークトップ１の固定を解除し、該ワークトップ１を手動で上下動させる。
前記ワークトップ１を適宜高さにした後、固定解除レバー２１を元位置に戻し、ワークトップ１の上下動を固定する。
【００１９】
【発明の効果】
請求項１に記載した本発明は、キッチン機能を有するキッチン部３と、洗面機能を有する洗面部４とからなり、二つの機能を一体化したから、シンクと洗面部が兼用され、省スペース化となり、給排水に係る配管スペースも縮小できた。在宅介護用として使用する場合、居室に設置してもその居室空間を大幅に圧迫して不都合をきたすこともなく、良好である。又、キッチン機能と洗面機能の二機能が備わっているから、移動不自由な使用者は一々洗面ユニットとキッチンユニットの間を移動することもなく楽に使用でき、好都合である。
【００２０】
請求項２に記載した本発明は、中央部に平面視凹部６が形成されているので、この凹部６に位置して調理をすれば、移動を少なくして作業ができ、調理に係る作業がやり易く、好都合である。又、上肢が不自由な人も肘をついたままで作業ができ、調理がやり易く好都合である。
【００２１】
請求項３に記載した本発明は、キッチン部３の上面に加熱器７の上面が同一面になるように設けているから、鍋等を加熱器７に載せる際、持ち上げることなく横へずらせることによって載せることができ、上肢に障害のある者でもその載せ作業が容易となり、好都合である。又、鍋をひっくり返す恐れも減り、安全性を高めるものである。
【００２２】
請求項４に記載した本発明は、固定解除レバー２１を持ち上げるとワークトップ１の固定が解除されるので、例えば、固定解除レバー２１を押し下げると固定が解除されるものの場合には不用意に固定解除レバー２１に接触してこれを押し下げワークトップ１が不適当な高さに下降してしまうといった誤作動を生じるが、本発明では前記誤作動を防止でき、好都合である。
【００２３】
請求項５に記載した本発明における洗面部４の前縁４ａの左右部位に肘受け部９が形成されるので、使用時に、腕や上体を洗面部４で支持して休めることができ、使用上好都合である。
【００２４】
請求項６に記載した本発明における混合水栓１１は洗面部４の奥部のキッチン部３側に配設されているから、移動を少なくして楽に洗面作業や調理の作業ができ、好都合である。
【図面の簡単な説明】
【図１】本発明の実施例の平面図である。
【図２】本発明の実施例の正面図である。
【図３】本発明の実施例の右側面図である。
【符号の説明】
１    ワークトップ
２    支持部
３    キッチン部
４    洗面部
４ａ  前縁
５    平板
６    凹部
７    加熱部
１１    混合水栓
【図１】
0003553238.tif 000002
【図２】
0003553238.tif 000003
【図３】
0003553238.tif 000004